(57)【要約】【課題】充填体を配列することによって貯留空間を形成するようにした貯水槽を対象とし、その槽底に対する汚泥等の洗浄が容易に行うことが出来るように構成した貯水槽の槽底洗浄装置の提供を図る。【解決手段】貯水槽の底板として、一端を排水孔に臨ませた樋状通路を中央部に形成すると共に当該樋状通路の両側縁から斜状に立ち上がる斜状面部を連設しかつ当該斜状面部には複数の汚泥流動案内用溝状通路を並行状に形成して成るものとし、貯水空間を形成するための充填体は、上記底板の上方に所定間隔を保ち、かつ最下位充填体の下面部分からの通水性を阻害しない形態で支持し、更に、前記樋状通路の上面に、洗浄水供給用ホースの先端に取付けられかつ排水溝側に向かって洗浄水を噴射するためのノズルを、前後進自在とするように設ける。【選択図】  図１
2017020184.tif 000002
【特許請求の範囲】
【請求項１】
貯水槽の底板として、一端を排水孔に臨ませた樋状通路を中央部に形成すると共に当該樋状通路の両側縁から斜状に立ち上がる斜状面部を連設しかつ当該斜状面部には複数の汚泥流動案内用溝状通路を形成して成るものとし、
貯水空間を形成するための充填体は、上記底板の上方に所定間隔を保ち、かつ最下位充填体の下面部分からの通水性を阻害しない形態で支持し、
更に、前記樋状通路の上面に、洗浄水供給用ホースの先端に取付けられかつ排水溝側に向かって洗浄水を噴射するためのノズルを、前後進自在とするように設けたことを特徴とする貯水槽の槽底洗浄装置。
【請求項２】
貯水槽の底板として、一端を排水孔に臨ませた樋状通路を中央部に形成すると共に当該樋状通路の両側から斜状に立ち上がる一枚板状の斜状面部を連設するように構成した請求項１に記載の貯水槽の槽底洗浄装置。
【発明の詳細な説明】
【技術分野】
【０００１】
本発明は、充填体を配列することによって貯留空間を形成するようにした貯水槽を対象とし、その槽底に対する汚泥等の洗浄が容易に行うことが出来るように構成した貯水槽の槽底洗浄装置に関する。
【背景技術】
【０００２】
貯水槽の底部の清掃の容易化を図ったものとして、本特許出願と同一発明者にして同一出願人に係る貯水槽がある（例えば特許文献１参照。)。
【０００３】
更に、貯水空間を形成するための充填体に対して、上方から水噴射或は気泡噴射に基づき、当該充填体に対して直接的な洗浄を施すように構成した「雨水貯留装置」がある（例えば特許文献２参照。)。
【先行技術文献】
【特許文献】
【０００４】
【特許文献１】特許第４６２５９８号公報
【特許文献２】特開２０００−１６０６０６号公報
【発明の概要】
【発明が解決しようとする課題】
【０００５】
上記したと特許文献１に記載のものは、貯水空間を形成するための充填体として、「平盤部と筒部とからなり、筒部の一端は平盤部に開口し、かつ、垂直に設けられた部材を、上部は当該部の筒部同志を対向するように組み合わせ、最下段は筒部他端部を下向きに配列する」成る構成に限定され、あらゆる空間充填体に対して適用可能とするものではない。
更に、特許文献１に記載のものは、清掃の容易化が図られるような槽底形態とすることを特徴とするものであり、清掃自体に関する具体的な洗浄手段及び方式に関するものではない。
【０００６】
また、上記した特許文献２に記載のものは、貯水槽の槽底に対する洗浄と言うものでは無く、貯水空間を形成する充填体全体の直接的洗浄を司るものである。従って、その全体構造が大規模にしてかつ細密化されたものであり、その実施には、必然的にコスト高となることを余儀なくされる。
【０００７】
本発明は、槽底に対して汚泥が洗浄し易い形態で集中させ、これを合理的な手段で洗浄可能とするように構成した新規の「貯水槽の槽底洗浄装置」の提供を図ったものである。
【課題を解決するための手段】
【０００８】
本発明は請求項１に記載のように、貯水槽の底板として、一端を排水孔に臨ませた樋状通路を中央部に形成すると共に当該樋状通路の両側縁から斜状に立ち上がる斜状面部を連設しかつ当該斜状面部には複数の汚泥流動案内用溝状通路を形成して成るものとし、
貯水空間を形成するための充填体は、上記底板の上方に所定間隔を保ち、かつ最下位充填体の下面部分からの通水性を阻害しない形態で支持し、更に、前記樋状通路の上面に、洗浄水供給用ホースの先端に取付けられかつ排水溝側に向かって洗浄水を噴射するためのノズルを、前後進自在とするように設けたことを特徴とする貯水槽の槽底洗浄装置に係る。
【０００９】
本発明は請求項２に記載のように、貯水槽の底板として、一端を排水孔に臨ませた樋状通路を中央部に形成すると共に当該樋状通路の両側から斜状に立ち上がる一枚板状の斜状面部を連設するように構成した請求項１に記載の貯水槽の槽底洗浄装置を実施の態様とする。
【発明の効果】
【００１０】
本発明は請求項１に記載のような構成の採用に基づき、槽底内に溜まる泥土等の洗浄が極めて良好に行われる。すなわち、一端を排水孔に臨ませた樋状通路を中央部に形成すると共に当該樋状通路の両側縁から斜状に立ち上がる斜状面部を連設しかつ当該斜状面部には複数の汚泥流動案内用溝状通路を形成して成るものとしたから、貯水空間を形成するための充填体を伝わって下方に沈下する汚泥等は、槽底の斜状面部を伝わって樋状通路内に導かれる。このとき汚泥等は含水性が高いため、斜面に沿って円滑に垂下させられる。
【００１１】
そして、斜面を伝わる含水性汚泥等は、各汚泥流動案内用溝状通路に分散されるため、単なる板面上を流れる場合に比して、その集約化に基づき力強い流れとなり、板面に付着停滞してしまうようなことが無い。換言すると、当該各汚泥流動案内用溝状通路がない場合、含水汚泥は板面の横方向に広がり集約性が生じず、従って、盤面に広がった状態で残存してしまうことも予想されるが、当該各汚泥流動案内用溝状通路を設けることによって、このような問題を回避させることが出来る。本実施例の場合は、比較的粘度の高い汚泥を含むような水の貯水を行う場合、特にその優れた機能を発揮することとなる。
【００１２】
本発明は、請求項２に記載のように、貯水槽の底板として、一端を排水孔に臨ませた樋状通路を中央部に形成すると共に当該樋状通路の両側から斜状に立ち上がる一枚板状の斜状面部を連設するように構成した場合、その構造の簡易性から製造コストの著しい低減化を図ることが出来る。そして、請求項１の場合に比して、粘度の高い汚泥を含むような水の貯水に対してはやや不適とするが、汚泥が砂のような場合は何ら問題なく実施可能とするものである。
【図面の簡単な説明】
【００１３】
【図１】図２におけるＸ−Ｘ線断面図である。
【図２】図１におけるＹ−Ｙ線断面図である。
【図３】本発明の横断面図である。
【図４】浄水を噴射するためのホース付き可動ノズルの一つの実施例を例示した説明用略図である。
【発明を実施するための形態】
【００１４】
図において、1は貯水槽であって、その内部には貯水空間を形成するための充填体Ａが積層化されて収装されている。そして、当該貯水槽１は主として地中に埋設し、大雨が降った際の雨水の一時貯水槽として使用されるものである。２は貯水槽１の上面に設けられた供給用孔である。なお、このような形態の貯水槽は公知技術に属し、また、これに使用される充填体Ａも、従来から各種のものが提供されている。本発明においては貯水空間自体を要部とするものではない。従って、貯水空間を形成可能とするものであれば、如何なる形態のものであっても採用可能とする。
【００１５】
そして、本発明の特徴とする点は、水槽１の底板３部分の構成に存する。すなわち、本発明における当該底板３は、一端を排水孔４に臨ませた樋状通路５を中央部に形成すると共に、当該樋状通路５の両側縁から斜状に立ち上がる斜状面部６,６を連設し、かつ当該斜状面部６,６には複数の汚泥流動案内用溝状通路７を斜面の上端から樋状通路５に向かうように形成したものである。
【００１６】
そして、前記した貯水空間を形成するための充填体Ａであるが、これは、上記底板３の上方に所定間隔を保って積層するように構成してある。すなわち、底板３の上方に、所定の空間を保った状態で最下位充填体の底面が位置するような形態で積層支持してある。なお、その支持方式は、格子状桟によるか、荒い網目状の枠体によるか、或は、適宜な梁材を介して行うか、その手段は問わない。然し乍ら、重要な点は、最下位充填体の下面部分の通水性を阻害しない形態(充填体内の貯水が、底板までスムーズに流れ込むことが出来るような形態)、で支持することが重要である。
【００１７】
８は前記樋状通路５の上面に移動可能に設置したノズルであって、洗浄水を噴射するためのものである。９は洗浄水供給用ホースであって、当該ノズル８の後端側に取付けられている。そして、当該ノズル８は、排水孔４側に向かって前進する際に洗浄水を吹きだすことにより、樋状通路５内に堆積する泥土を当該排水孔４内に洗い流すような役割を担うものである。
【００１８】
ところで、前記した斜状面部６,６に対して複数の汚泥流動案内用溝状通路７を並行状に形成するように構成した点であるが、これは沈下する泥土等が斜状面部６,６に沿って沈下する際、これが横方向に流れることなくスムーズに滑り落ちさせるような案内としての役割と、泥土の横方向の分散化を防止する役割を果たさせるためである。然し乍ら、本発明はこのような汚泥流動案内用溝状通路７を設けることなく、樋状通路の両側から斜状に立ち上がる一枚板状の斜状面部を連設するようにして実施することも出来る。
【００１９】
図４は浄水を噴射するためのホース付き可動ノズルの一つの実施例を例示した説明用略図であって、無端ベルトの正逆回転運動に基づき、ノズルの前後進運動を遠隔的に行うように構成したものである。然し乍ら、本発明はノズルを樋状通路に設けることを技術的要部とするものであり、そのための作動手段は例示したもの以外の適宜なものであって可とする。
【符号の説明】
【００２０】
Ａ  充填体
１  貯水槽
２  供給用孔
３  底板
４  排水孔
５  樋状通路
６  斜状面部
７  汚泥流動案内用溝状通路
８  ノズル
９  洗浄水供給用ホース
【図１】
2017020184.tif 000003
【図２】
2017020184.tif 000004
【図３】
2017020184.tif 000005
【図４】
2017020184.tif 000006